(57)【要約】【構成】フォークリフト１のフォーク３に取り付けを可能にしたブラケット５に、ストレッチフィルム６を装着できるシャフトを立設し、このシャフト７にストレッチフィルム６を装着し、パレットに載置した被包装物を下方から上方、または上方から下方にフォーク３を昇降させながら、フォークリフト１をパレットの周囲に回転運転させてストレッチフィルム６で包装するフォークリフトのフォークを利用するストレッチ包装装置。【効果】パレット上の被包装物をストレッチ包装すると、次に搬送する工程があるので、必ずその場所にはフォークリフトが有る。このフォークリフトの昇降部分であるフォークに固定式・簡易固定式・差込固定式等の固定方式でフォークの上下動作を最大限有効に利用して、ストレッチ包装をすることができるもので、極めて安価に簡易に作業が行えるものである。【選択図】      図１
2004268955.tif 000002
【特許請求の範囲】
【請求項１】
フォークリフトのフォークに取り付けを可能にしたブラケットに、ストレッチフィルムを装着できるシャフトを立設し、このシャフトにストレッチフィルムを装着し、パレットに載置した被包装物を下方から上方、または上方から下方にフォークを昇降させながら、フォークリフトをパレットの周囲に回転運転させてストレッチフィルムで包装することを特徴とするフォークリフトのフォークを利用するストレッチ包装装置。
【請求項２】
前記ブラケットはフォークリフトのフォーク取付けフレーム側面にフォークリフト運搬作業する上で邪魔にならない場所に固定することを特徴とする請求項１に記載のフォークリフトのフォークを利用するストレッチ包装装置。
【請求項３】
前記ブラケットはフォークリフトのフォークに挟んで固定し、必要でない時には取り外せるようにしたことを特徴とする請求項１に記載のフォークリフトのフォークを利用するストレッチ包装装置。
【請求項４】
前記ブラケットはフォークリフトのフォークに差込めるようにしたことを特徴とする請求項１記載のフォークリフトのフォークを利用するストレッチ包装装置。
【発明の詳細な説明】
【０００１】
【発明の属する技術分野】
本発明は、輸送、荷役、保管時の荷崩れを防止するため、パレット積みされた被包装物の周囲をストレッチフィルムで強く巻き上げる上で、フォークリフトのフォークの昇降機能を利用するストレッチ包装装置に関するものである。
【０００２】
【従来の技術】
従来、開口部を上にしたＣ型鋼のウェブにシャフトが立設されたとともに、該シャフトを中心として前記Ｃ型鋼の両フランジから該Ｃ型鋼の他端側にキャスターを支持するキャスター支持台が突設されたベースと、該ベースの一端に固定されたターンテーブル回転駆動機構と、前記ベースの一端に立設されたマストに上下自在に装着されたとともに、フィルムが取り付けられたフィルム台と、前記ターンテーブル回転駆動機構に装着されたとともに、前記Ｃ型鋼のウェブに配置された駆動ローラと、前記Ｃ型鋼の他端及び前記キャスター支持台に固定されたキャスターと、底面に固定されたベアリングユニットを介して前記シャフトに装着され、かつ、前記駆動ローラ及び前記キャスターによって回転自在に支持されたターンテーブルとからなるパレットストレッチ包装機（例えば、特許文献１参照）が存在している。
また、パレット上に載置した被包装物に弾性を有するプラスチックフィルムを緊張させながら自動的に巻き付けて、これら被包装物をパレット上に固定するストレッチ包装機は知られている。又、これらストレッチ包装機の種類として、回転テーブル上でパレットの上に載置した被包装物を回転させながら、該被包装物の高さより少し広幅のフィルムを該被包装物の周囲に巻き付けるフルウェブ式包装機と、被包装物の高さよりかなり狭幅（例えば５００ｍｍ幅）のフィルム巻取を架柱に沿って昇降させながら、回転テーブルの上の被包装物の周囲にフィルムをスパイラル状に巻き付けるスパイラル式包装機（例えば、特許文献２参照）があることも知られている。
【０００３】
【特許文献１】
特開平６−１３０６号公報（特許請求の範囲、図１、図３）
【特許文献２】
実開平５−９５８０２号のマイクロフィルム（考案の詳細な説明、｛従来の技術｝）
【０００４】
【発明が解決しようとする課題】
本発明に係るフォークリフトのフォークを利用するストレッチ包装装置は、次の課題を解決することが目的である。
従来の技術は、ターンテーブルの下の空間にターンテーブル回転駆動機構が配置されていて、ターンテーブルが床面より相当高い所に位置する高床式なので、スロープを使用することができないし、荷の積み降ろしにハンドリフト・パワーリフトを使用することができないことを防止できるように、開口部を上にしたＣ型鋼のウェブにシャフトが立設されたとともに、該シャフトを中心として前記Ｃ型鋼の両フランジから該Ｃ型鋼の他端側にキャスターを支持するキャスター支持台が突設されたベースと、該ベースの一端に固定されたターンテーブル回転駆動機構と、前記ベースの一端に立設されたマストに上下自在に装着されたとともに、フィルムが取り付けられたフィルム台と、前記ターンテーブル回転駆動機構に装着されたとともに、前記Ｃ型鋼のウェブに配置された駆動ローラと、前記Ｃ型鋼の他端及び前記キャスター支持台に固定されたキャスターと、底面に固定されたベアリングユニットを介して前記シャフトに装着され、かつ、前記駆動ローラ及び前記キャスターによって回転自在に支持されたターンテーブルとからなるパレットストレッチ包装機である。
【０００５】
これに対し本発明においては、フォークリフトのフォークに取り付けを可能にしたブラケットに、ストレッチフィルムを装着できるシャフトを立設し、このシャフトにストレッチフィルムを装着し、パレットに載置した被包装物を下方から上方、または上方から下方にフォークを昇降させながら、フォークリフトをパレットの周囲に回転運転させてストレッチフィルムで包装するフォークリフトのフォークを利用するストレッチ包装装置により、常時用意されているフォークリフトを利用してフォークの昇降作用を最大限活用して、パレットの積荷に対して極めて簡単に、安価にストレッチ包装が可能になったものである。
また、特殊な装置を用意できない場合、人手の手作業で巻きを行うと引き伸ばしながら巻き付けることが困難なため、どうしてもストレッチフィルムの使用量が多くなるので不経済であるのに対して、本発明はフォークリフトの運転操作で引き伸ばしながらストレッチ包装できるので、手巻きに較べると約２倍の包装が可能になる。
【０００６】
【課題を解決するための手段】
上記課題を解決するための本発明の第１発明は、請求項１に記載された通りのフォークリフトのフォークを利用するストレッチ包装装置であり、次のようなものである。
フォークリフトのフォークに取り付けを可能にしたブラケットに、ストレッチフィルムを装着できるシャフトを立設し、このシャフトにストレッチフィルムを装着し、パレットに載置した被包装物を下方から上方、または上方から下方にフォークを昇降させながら、フォークリフトをパレットの周囲に回転運転させてストレッチフィルムで包装するという構成である。
【０００７】
上記課題を解決するための本発明の第２発明は、請求項２に記載された通りのフォークリフトのフォークを利用するストレッチ包装装置であり、次のようなものである。
前記ブラケットはフォークリフトのフォーク取付けフレーム側面にフォークリフト運搬作業をする上で邪魔にならない場所に固定することを特徴とする請求項１に記載のフォークリフトのフォークを利用するストレッチ包装装置である。
【０００８】
上記課題を解決するための本発明の第３発明は、請求項３に記載された通りのフォークリフトのフォークを利用するストレッチ包装装置であり、次のようなものである。
前記ブラケットはフォークリフトのフォークに挟んで固定し、必要でない時には取り外せるようにしたことを特徴とするフォークリフトのフォークを利用するストレッチ包装装置である。
【０００９】
上記課題を解決するための本発明の第４発明は、請求項４に記載された通りのフォークリフトのフォークを利用するストレッチ包装装置であり、次のようなものである。
前記ブラケットはフォークリフトのフォークに差込めるようにしたことを特徴とする請求項１記載のフォークリフトのフォークを利用するストレッチ包装装置である。
【００１０】
【発明の実施の形態】
図１は、この発明の一実施例を示す図で、差込式のストレッチフィルムスタンドをフォークリフトに取り付けた概略正面図である。１はフォークリフト、２はフォーク昇降装置、３はフォーク、４はストレッチフィルムスタンド、５はブラケット、６はロール状に巻き取られたストレッチフィルムをそれぞれ示すものである。
【００１１】
フォークリフト１は一般的な公知のもので、このフォークリフトとしてはパレットに載置した積荷等の被包装物に対してストレッチ包装するもので、パレットの空間部にフォーク３を挿し込んで運搬できるものであれば種々の機種が利用できる。しかも、フォーク３は脱着が可能であり、このフォーク３にストレッチフィルムスタンド４を取り付けるものである。また、一般的に予備品があるので、この予備のフォーク３にストレッチフィルムスタンド４を取り付けて用意することもできる。
【００１２】
次に、図２に基づいて第一実施例の差込式フィルムスタンドについて説明する。
ロール状に巻き取られたストレッチフィルムを立設するためのシャフト７と、そのシャフト７の上部には、ロール状のストレッチフィルムを安定した状態で保持するスプリング８を設けてあり、シャフト７を立設するためのブラケット５を備え、このブラケット５は、フォークリフト１のフォーク３に差込めるように構成し、このブラケット５をフォーク３に固定するための固定ボルト９が適宜数設けられたもので、フィルムスタンド４をフォーク３に、フォーク３をフィルムスタンド４に差込むことでセットできるものである。
【００１３】
次に、図３に基づいて第二実施例の簡易固定式フィルムスタンドについて説明する。
その具体的な構成は、フォークリフト１のフォーク３に固定する方式が相違するだけで、その他については同一なので、相違する固定手段についてだけ説明すると、フォーク３に対して、取り付け方式が第一実施例のものは差込式であったのに対して、単に上部から覆いかぶせるように載置する切り欠き部を設けたブラケット５を設け、このブラケット５の端部に設けた固定ボルト９でフォーク３に締め付け固定するものである。
【００１４】
図４に基づいて、第三実施例の固定式フィルムスタンドについて説明する。
この第三実施例は、さらにフィルムスタンド４の固定する方式が相違するだけで、その他については同一なので相違する固定手段について説明する。
前記第一、第二実施例ともフォーク自体に固定するものであったが、この第３実施例はフォーク昇降装置２のフォーク取付フレームの適宜位置に直接固定できるように立設ブラケット１０を設けたものである。
【００１５】
次に、ストレッチ包装の作動について説明する。
パレット上に被包装物が載置された状態でストレッチフィルムで包装する場合、ロール状のストレッチフィルム６をストレッチフィルムスタンド４に取り付け、これをフォークリフト１のフォーク３、あるいはフォーク昇降装置２の昇降部に取り付ける。そして、ストレッチフィルム６の端部を被包装物に巻き付け固定し、次に、フォークリフト１を運転しながらパレットの回りを回転しながら、しかもフォーク３、あるいはフォーク昇降装置２のフォーク取付フレームに取り付けられたストレッチフィルム６を上下動させて順次螺旋状に引っ張りながら機械的（フォークリフトの運転力）に巻き付けてストレッチ包装するものである。
【００１６】
【発明の効果】
本発明に係るフォークリフトのフォークを利用するストレッチ包装装置は、以上説明してきたような構成であるので、以下に記載する効果を奏する。
（１）ストレッチ包装装置を購入し、ストレッチ包装作業をするほど数量がない場合、人手によってストレッチ包装作業をしているユーザーの方々に大変安価なストレッチフィルム包装装置を提供することができる。
（２）パレット上の被包装物をストレッチ包装すると、次に搬送する工程があるため、必ずその場所にはフォークリフトが有る。従って、このフォークリフトの昇降部分であるフォーク、あるいはフォーク取付フレームのどちらかの適宜位置に固定式・簡易固定式・差込固定式等の固定方式でフォークの上下動作を最大限有効に利用して、ストレッチ包装をすることができるもので、極めて安価に簡易に作業が行えるものである。
【図面の簡単な説明】
【図１】本発明に係る差込式ストレッチフィルムスタンドをフォークリフトに取り付けた実施例を示す概略正面図である。
【図２】本発明に係る第一実施例である差込式ストレッチフィルムスタンドを示す正面図（ａ）、右側面図（ｂ）である。
【図３】本発明に係る第二実施例である簡易固定式ストレッチフィルムスタンドを示す正面図（ａ）、右側面図（ｂ）である。
【図４】本発明に係る第三実施例である固定式ストレッチフィルムスタンドを示す正面図（ａ）、右側面図（ｂ）である。
【符号の説明】
１‥‥フォークリフト                ２‥‥フォーク昇降装置
３・・・・フォーク                      ４・・・・ストレッチフィルムスタンド
５・・・・ブラケット                    ６・・・・ストレッチフィルム
７・・・・シャフト                      ８・・・・スプリング
９・・・・固定ボルト                  １０・・・・立設ブラケット
【図１】
2004268955.tif 000003
【図２】
2004268955.tif 000004
【図３】
2004268955.tif 000005
【図４】
2004268955.tif 000006